(57)【要約】【課題】  家庭のトイレの便器や浴室等のタイルに付着した汚れ（尿石やスケール）を効果的に洗浄することができ、かつ環境を汚すことがないトイレ・タイル用洗浄剤組成物を提供すること。また、環境を汚さない人体用洗浄剤組成物を提供すること。【解決手段】    成分として光合成菌・乳酸菌・酵母菌・放線菌・麹菌等の有用微生物群（ＥＭ菌）を含ませる。かかる構成により、家庭のトイレの便器や浴室等のタイルに付着した汚れ（尿石やスケール）の洗浄に使用すると、ＥＭ菌が人体から分泌される有機物質等からなる尿石やスケールを分解してしまう。また、ＥＭ菌は天然由来のものであるので無害であり、排水として河川に流した場合、環境汚染を引き起こすおそれはなく、かえって河川中に含まれている合成洗剤の廃液を分解するので、河川の浄化にも役立つ。【選択図】      図１
2011148899.tif 000002
【特許請求の範囲】
【請求項１】
家庭のトイレ又はタイルの汚れを洗浄するトイレ・タイル用洗浄剤組成物において、
成分として光合成菌・乳酸菌・酵母菌・放線菌・麹菌等の有用微生物群を含むトイレ・タイル用洗浄剤組成物。
【請求項２】
成分として光合成菌・乳酸菌・酵母菌・放線菌・麹菌等の有用微生物群を含む人体用洗浄剤組成物。
【発明の詳細な説明】
【技術分野】
【０００１】
本発明は、家庭のトイレ又はタイルの汚れを洗浄するトイレ・タイル用洗浄剤組成物に関する。
【背景技術】
【０００２】
家庭のトイレの便器や浴室等のタイルに付着した汚れ（尿石やスケール）は、普通の洗浄剤でこすってもなかなか落ちないものであり、いやな臭いが発生したり、見た目にも汚らしいものである。
【０００３】
そこで、従来から、これらを除去する洗浄剤が種々提案されている（例えば、特許文献１、２等）。
【特許文献１】特開２００９−１８５０９４号公報
【特許文献２】特開２００７−３０５０９２号公報
【発明の開示】
【発明が解決しようとする課題】
【０００４】
ところで、上記した特許文献１、２に係る発明では、洗浄剤が人の手に直接付くと手あれをおこしたり、排水として川等に流した場合に環境汚染を引き起こすおそれがある。
【０００５】
本発明の目的は、家庭のトイレの便器や浴室等のタイルに付着した汚れ（尿石やスケール）を効果的に洗浄することができ、かつ環境を汚すことがないトイレ・タイル用洗浄剤組成物を提供することにある。また、環境を汚すことなく人体内に洗浄剤が入るおそれがある箇所に使用しても洗浄効果が発揮できる人体用洗浄剤組成物を提供することにある。
【課題を解決するための手段】
【０００６】
請求項１の発明は、家庭のトイレ又はタイルの汚れを洗浄するトイレ・タイル用洗浄剤組成物において、成分として光合成菌・乳酸菌・酵母菌・放線菌・麹菌等の有用微生物群を含むトイレ・タイル用洗浄剤組成物である。
【０００７】
上記請求項１の発明の場合、家庭のトイレの便器や浴室等のタイルに付着した汚れ（尿石やスケール）の洗浄に使用すると、その成分である有用微生物群が人体から分泌される有機物質等からなる尿石やスケールを分解してしまう。これにより、上記汚れ（尿石やスケール）は効果的に洗浄することができる。また、主成分である有用微生物群は天然由来のものであるので無害であり、排水として河川に流した場合、環境汚染を引き起こすおそれはなく、かえって河川中に含まれている合成洗剤の廃液を分解するので、河川の浄化にも役立つ。すなわち、水質汚染の改善にもなる。
【０００８】
請求項２の発明は、成分として光合成菌・乳酸菌・酵母菌・放線菌・麹菌等の有用微生物群を含む人体用洗浄剤組成物である。
【０００９】
上記請求項２の発明の場合、有用微生物群は人体に無害なので、人体内に洗浄剤が入るおそれがある箇所でも安全かつ奇麗に洗うことができる。また、上記請求項１の発明と同様に、排水として河川に流しても環境汚染を引き起こすおそれはなく、かえって河川中に含まれている合成洗剤の廃液を分解するので、河川の浄化にも役立つ。
【発明の効果】
【００１０】
請求項１の発明によれば、成分として光合成菌・乳酸菌・酵母菌・放線菌・麹菌等の有用微生物群を含むトイレ・タイル用洗浄剤組成物であるので、有用微生物群がトイレ・タイルに付着した汚れ（尿石やスケール）を効果的に洗浄することができる。また、有用微生物群は天然由来のものであるので無害であり、排水として河川に流した場合、環境汚染を引き起こすおそれはなく、かえって河川中に含まれている合成洗剤の廃液を分解するので、河川の浄化にも役立つ。
【００１１】
請求項２の発明によれば、成分として光合成菌・乳酸菌・酵母菌・放線菌・麹菌等の有用微生物群を含むので、人体内に洗浄剤が入るおそれがある箇所でも安全かつ奇麗に洗うことができる。また、上記請求項１の発明と同様に、環境汚染を引き起こすおそれはなく、かえって河川の浄化にも役立つ。
【発明を実施するための最良の形態】
【００１２】
本発明に係るトイレ・タイル用洗浄剤組成物（１）は、成分として光合成菌・乳酸菌・酵母菌・放線菌・麹菌等の有用微生物群（以後、ＥＭ菌と称する。）を含む構成とされている。
【００１３】
本発明に係るトイレ・タイル用洗浄剤組成物の製造方法の一例を、図１を参照しながら説明する。なお、本実施形態では、上記組成物は固形であるが、液体状としてもよい。
【００１４】
まず、ＥＭ菌を繁殖させるために、当該ＥＭ菌を水（分量３５５ｃｃ）中に入れて１ヶ月ほど放置する（工程Ｓ１）。なお、ＥＭ菌を米の研ぎ汁に１週間ほど入れておいたものを別に用意しておいてもよい。
【００１５】
こうして、繁殖させた有用微生物群を、他の石ケン成分（油脂と水酸化ナトリウムとでんぷん）からなる液中に入れて混ぜ（工程Ｓ２，Ｓ３）、その後型に入れて２ヶ月ほど放置する（工程Ｓ４）。ここで、この実施形態では、油脂として、サラダオイル（３リットル）を使用している。また、水酸化ナトリウムの分量は４３０ｇである。また、でんぷんとしては、ご飯（分量９５ｇ）を使用している。このでんぷんは、ＥＭ菌の栄養源となるものである。そして、脱型する。図２は、こうして製造された石ケン（１）の外観の一例である。なお、液状のトイレ・タイル用洗浄剤組成物を製造する場合には、上記した水酸化ナトリウムの代わりに水酸化カリウムを使用する。
【００１６】
なお、別の製造方法として、水酸化カリウムにＥＭ菌発酵液とヤシ油等の植物油を混合してトイレ・タイル用洗浄剤組成物を製造してもよい。また、水酸化カリウムに水とヤシ油等の植物油とＥＭ菌発酵液とを混合してトイレ・タイル用洗浄剤組成物を製造することもできる。石けん成分とＥＭ菌発酵液の比率は自由に変えられる。
【００１７】
こうして完成したトイレ・タイル用洗浄剤組成物は、使用した際、ＥＭ菌が人体から分泌される有機物質等からなる尿石やスケールを分解してしまう。尿石等が大量かつ頑固に付着した小便器の目皿等を洗う場合には、液体状のトイレ・タイル用洗浄剤組成物に浸けておくことにより奇麗に洗浄できる。これにより、尿石やスケールを十分に洗浄することができる。ここで、ＥＭ菌は天然由来のものであるので無害であり、排水として河川に流した場合、環境汚染を引き起こすおそれはなく、かえって河川中に含まれている合成洗剤の廃液を分解するので、河川の浄化にも役立つ。すなわち、環境に優しい洗浄剤である。成分として光合成菌・乳酸菌・酵母菌・放線菌・麹菌等の有用微生物群を含む人体用洗浄剤組成物である。
【００１８】
また、上記有用微生物群（光合成菌・乳酸菌・酵母菌・放線菌・麹菌等の有用な微生物を含む混合菌）を含んだ洗浄剤組成物は、人体用に使用することもできる。かかる構成の洗浄剤組成物（人体用洗浄剤組成物）は、人体に無害なので、人体内に洗浄剤が入るおそれがある箇所（例えば、人体の性器や肛門など）でも安全かつ奇麗に洗うことができる。また、上記したように、排水として河川に流しても環境汚染を引き起こすおそれはなく、かえって河川中に含まれている合成洗剤の廃液を分解するので、河川の浄化にも役立つ。
【００１９】
なお、上記した洗浄剤組成物は、形態は固体状・液体状任意である。
【図面の簡単な説明】
【００２０】
【図１】本発明に係るトイレ・タイル用洗浄剤組成物の製造方法の一例を説明するための図である。
【図２】本発明に係るトイレ・タイル用洗浄剤組成物の外観を示す図である。
【符号の説明】
【００２１】
１  トイレ・タイル用洗浄剤組成物
２  ＥＭ菌（有用微生物群）
【図１】
2011148899.tif 000003
【図２】
2011148899.tif 000004